(57)【要約】【課題】  コンパクトな構成によって枕本来の機能とは別の機能を持たせる。【解決手段】  押圧部分４０，５０は、枕本体１０の一端部１１に近づくに従って離間距離が狭まるように、くぼみ部３０内で延在している。使用者は、押圧部分４０，５０が使用者の後頭骨下縁に当たるように後頭部を保持部２０に載せて使用する。【選択図】  図１
0003112519.tif 000002
【実用新案登録請求の範囲】
【請求項１】
使用者の後頭部を保持する保持部と、
前記保持部で後頭部を保持された状態にて、使用者の首部に近い後頭部の下部を押圧する押圧部と、
を含み、前記押圧部は、第１の押圧部分と当該第１の押圧部分と離間して配置される第２の押圧部分とを有し、当該第１の押圧部分と当該第２の押圧部分との離間距離が、前記保持部で保持される後頭部から首部に行くに従って小さくなっていくことを特徴とする枕。
【請求項２】
前記第１の押圧部分および前記第２の押圧部分の各々の押圧面に形成された凸部を更に含むことを特徴とする請求項１に記載の枕。
【請求項３】
前記保持部で保持される後頭部から首部の方向に延びるくぼみ部を更に含むことを特徴とする請求項１に記載の枕。
【請求項４】
前記第１の押圧部分および前記第２の押圧部分の各々は、前記保持部よりも高反発であることを特徴とする請求項１ないし３のいずれか１項に記載の枕。
【請求項５】
前記第１の押圧部分および前記第２の押圧部分の各々の押圧面は、他方に近づくに従って低くなるように傾斜していることを特徴とする請求項１ないし３のいずれか１項に記載の枕。
【請求項６】
前記第１の押圧部分の押圧面と前記第２の押圧部分の押圧面とが互いに離れて位置することを特徴とする請求項１ないし３のいずれか１項に記載の枕。
【請求項７】
前記第１の押圧部分および前記第２の押圧部分の各々は、前記保持部で保持される後頭部から首部に延びる線に対して対称形状であることを特徴とする請求項１ないし３のいずれか１項に記載の枕。
【考案の詳細な説明】
【技術分野】
【０００１】
本考案は、枕に関し、特に仰向け寝姿勢になった者の頭部を保持するとともに頭部を押圧可能に構成された枕に関するものである。
【背景技術】
【０００２】
一般的に、寝ている者の頭部を支えるために枕が用いられる。すなわち、人間の骨格自体が元々Ｓ字に曲がっていて、寝ている時にもそのＳ字を自然に保つことが望ましいことから、頭部を枕で支えている。また、寝ている時に枕を用いることにより、頭部の重さを支えている頸椎を安定させることもできる。
このような頭部を支えるという枕の基本的な機能に別の機能を持たせた枕が従来から数多く提案されている。その一例を示すと、頭部を載置し、左右にローリング運動させたときに後頭部の頚椎部分を適度に押圧刺激することができる硬さを有する枕体と、この枕体を左右にシーソー運動させるための駆動手段とを備えた枕がある（例えば、特開２００５−２７８１７号公報）。
【考案の開示】
【考案が解決しようとする課題】
【０００３】
しかしながら、上述した枕は駆動手段を備えており、そのために枕自体が大型化し、また重量化する。したがって、上述した枕では、例えば家の寝室等の特定な場所に載置しておき、その場所でのみ用いるという使用方法になってしまう。すなわち、持ち運びが容易で、寝姿勢が可能な場所であればどこでも気軽に使用できるという枕本来の用い方をすることは困難である。
【０００４】
本考案は、以上のような技術的課題を解決するためになされたものであり、その目的とするところは、コンパクトな構成によって枕本来の機能とは別の機能を持たせることにある。
【課題を解決するための手段】
【０００５】
かかる目的のもと、本考案が適用される枕は、使用者の後頭部を保持する保持部と、保持部で後頭部が保持された状態にて使用者の首部に近い後頭部の下部を押圧する押圧部と、を含むものである。そして、押圧部は、後頭部の下部の右側を押圧する第１の押圧部分と、後頭部の下部の左側を押圧する第２の押圧部分とを有する。第１の押圧部分と第２の押圧部分とは互いに離間して配置されている。また、第１の押圧部分および第２の押圧部分は、第１の押圧部分と第２の押圧部分との離間距離が保持部で保持される後頭部から首部に行くに従って小さくなっていくように配置されている。
ここで、第１の押圧部分および第２の押圧部分の各々の押圧面に形成された凸部を更に含むことを特徴とすると、押圧力を高めることができる点で好ましい。また、保持部で保持される後頭部から首部の方向に延びるくぼみ部を更に含むことを特徴とすると、押圧個所を限定することができる点で好ましい。
また、第１の押圧部分および第２の押圧部分の各々は、保持部よりも高反発であるように構成するのが一層好ましい。また、第１の押圧部分および第２の押圧部分の各々の押圧面は、他方に近づくに従って低くなるように傾斜しているように構成するのも好ましい。また、第１の押圧部分の押圧面と第２の押圧部分の押圧面とが互いに離れて位置するように構成するのも好ましい。また、第１の押圧部分および第２の押圧部分の各々は、保持部で保持される後頭部から首部に延びる線に対して対称形状であるように構成するのも好ましい。
【考案の効果】
【０００６】
本考案によれば、コンパクトな構成によって枕本来の機能とは別の機能を持たせることが可能となる。
【考案を実施するための最良の形態】
【０００７】
以下、添付図面を参照して、本考案の実施の形態について詳細に説明する。
図１は、本実施の形態に係る枕１を示す概略構成図であり、図２は、枕１の平面図である。図３は、図２の線III−IIIによる断面図であり、図４および図５は、押圧部分４０，５０の形状を説明するための説明図である。
図１に示すように、枕１は、枕本体１０と、枕本体１０の上面部に形成された保持部２０と、保持部２０の略中央部分から枕本体１０の一端部１１まで延在するくぼみ部３０と、保持部２０に隣接すると共にくぼみ部３０に形成された押圧部分４０，５０（第１の押圧部分、第２の押圧部分）と、を備えている。保持部２０は、すり鉢状に形成された保持面２１を有し、この保持面２１により、仰向け寝姿勢になった使用者の後頭部を保持する。
【０００８】
押圧部分４０，５０は、保持部２０の保持面２１よりも突出するように形成されている。また、押圧部分４０は、保持部２０の、くぼみ部３０により分断された保持面２１の一方からくぼみ部３０を横切るように延在している。また、押圧部分５０は、保持部２０の、くぼみ部３０により分断された保持面２１の他方からくぼみ部３０を横切るように延在している。押圧部分４０は、基端４１から先端４２へと延在し、押圧部分５０は、基端５１から先端５２へと延在している。そして、押圧部分４０，５０の各々の先端４２，５２は、互いに離間している。このように、押圧部分４０，５０は、互いに連続するように形成されていない。すなわち、図２に示すように、押圧部分４０の上面である押圧面４３と押圧部分５０の上面である押圧面５３とは連続しておらず、互いに離れて位置する。
【０００９】
図２に示すように、押圧部分４０，５０は、枕本体１０の一端部１１に近づくに従って離間距離が狭まるように、くぼみ部３０内で延在している。このように、押圧部分４０，５０は、互いに対向するように配設されている。
また、保持部２０、くぼみ部３０および押圧部分４０，５０は、枕本体１０の中央線Ａに対して左右対称となるように形成配置されている。また、押圧部分４０，５０は、枕本体１０と保持部２０の保持面２１とがなす略楕円形状の輪郭線Ｂに沿うように円弧状に延在している。
図４に示すように、押圧部分４０は、くぼみ部３０（図１又は図２参照）内において押圧部分５０（図１又は図２参照）に近づくに従って低くなるように傾斜している。言い換えると、押圧部分４０の押圧面４３（図１又は図２参照）は、押圧部分５０の押圧面５３（図１又は図２参照）に向いている。特に図示しないが、押圧部分５０の押圧面５３（図１又は図２参照）は、押圧部分４０の押圧面４３（図１又は図２参照）に向いている。このように、押圧部分４０，５０の押圧面４３，５３（図１又は図２参照）の各々は、互いに対向するように傾斜している。なお、図３に示すように、くぼみ部３０（図１又は図２参照）は、枕本体１０の一端部１１側が深く形成され、その逆の他端部１２側が浅く形成されている。
【００１０】
図４に示すように、押圧部分４０の基端４１の幅寸法ｃは、先端４２の幅寸法ｄよりも大きい。すなわち、押圧部分４０は、基端４１から先端４２に行くに従って幅が狭くなっていくように形成されている。なお、特に図示しないが、押圧部分５０も基端５１から先端５２に行くに従って幅が狭くなっていくように形成されている。
図５に示すように、押圧部分４０の押圧面４３には、球面形状に突出する凸部４４が４つ並んで形成されている。なお、特に図示しないが、押圧部分５０の押圧面５３にも同様に、球面形状に突出する凸部４４が並んで形成されている。
【００１１】
図６は、枕１と使用者Ｐとの位置関係を説明するための平面図である。
同図に示すように、仰向け寝姿勢の使用者Ｐが後頭部を枕１の保持部２０（図１又は図２参照）に載せると、押圧部分４０，５０は、使用者Ｐの後頭部の、首部（頚椎）に近い下部を押圧することになる。より詳しく説明すると、使用者Ｐは、押圧部分４０，５０が使用者Ｐの後頭骨下縁（図示省略）に当たるように後頭部を保持部２０（図１又は図２参照）に載せる。このようにして使用者Ｐの頭部が保持部２０（図１又は図２参照）により保持されると、使用者Ｐの頭部の自重作用によって結果として押圧部分４０，５０が使用者Ｐの後頭骨下縁（図示省略）を押圧する（図３参照）。ここにいう後頭骨とは、頭蓋の後下部に位置する骨をいうものである。
更に説明すると、このような状態のまま、使用者Ｐが例えば１０分程度静かに横になっていると、押圧部分４０，５０の後頭骨下縁への押圧作用によって、頸部に集中している筋肉群が弛緩する。このように後頭骨下縁を緩めることにより、自律神経の中の副交感神経が優位になり、後頭部にある延髄から脊髄液が脊椎を還流する。これにより、使用者Ｐの全身の血流が良好になり、肩こりや腰痛の改善のほかに、いろいろな不定愁訴が改善される。
また更に説明すると、首部には頭部を支える様々な筋肉（筋肉群）がある。すなわち、頚椎から始まり、頭の後ろ（後頭骨下縁）の方で停止する筋肉が何層にもなっている。そして、これらの筋肉群が緊張することによって、頭痛や肩こりなどの症状が出る一方で、これらの筋肉群を弛緩させることによって、頭痛や肩こりなどの症状が改善される。
【００１２】
ここで、押圧部分４０，５０は、枕本体１０の他の部分よりも高反発の材質で形成されている。すなわち、押圧部分４０，５０は、枕本体１０の他の部分よりも沈み込み量が小さくなるような材質で形成されている。その一例を示すと、押圧部分４０，５０をシリコンゴムやプラスチック等により成形し、枕本体１０の他の部分をウレタン等により成形する。
このように押圧部分４０，５０と枕本体１０の他の部分との材質を使い分けると、次のような点で有利である。すなわち、押圧部分４０，５０は、上述したように保持部２０（図１又は図２参照）の保持面２１（図１又は図２参照）よりも突出しているが、使用者Ｐが頭部を保持部２０（図１又は図２参照）に載せると、頭部の自重で保持部２０（図１又は図２参照）および押圧部分４０，５０が沈み込むが、押圧部分４０，５０の沈み込み量の方が保持部２０（図１又は図２参照）の沈み込み量よりも小さいと、押圧部分４０，５０が使用者Ｐの後頭骨下縁を押圧する力がより強くなる。このため、押圧部分４０，５０を高反発の材質にすると、上述した効果をさらに高めることができる。
なお、このように、枕１は、通常の就寝時に用いる一般的な枕と異なるため、使用上の注意等が記載された枕カバーで枕本体１０の全体を覆うようにすることも考えられる。
【００１３】
ここで、枕１の寸法についてその一例を示すと、枕本体１０の縦が２５ｃｍ、横が４０ｃｍ、高さが５ｃｍである。また、枕本体１０の一端部１１におけるくぼみ部３０（図１又は図２参照）の幅が１０ｃｍで、深さが３ｃｍである。また、保持部２０（図１又は図２参照）の略楕円形状の輪郭線Ｂの短軸が１５ｃｍである。また、押圧部分４０の先端４２（図２参照）と押圧部分５０の先端５２（図２参照）との離間距離が４ｃｍである。また、押圧部分４０，５０の長さが７ｃｍであり、押圧部分４０，５０の各々の基端４１，５１（図２参照）と先端４２，５２（図２参照）との高さの差が２．５ｃｍであり、押圧部分４０，５０の各々の凸部４４，５４（図２参照）の直径が１．５ｃｍである。
【図面の簡単な説明】
【００１４】
【図１】本実施の形態が適用される枕の全体構成を示した斜視図である。
【図２】枕の平面図である。
【図３】図２の線III−IIIによる断面図である。
【図４】枕の押圧部分の形状を説明するための説明図である。
【図５】枕の押圧部分の形状を説明するための説明図である。
【図６】枕と使用者との位置関係を説明するための平面図である。
【符号の説明】
【００１５】
１…枕、１０…枕本体、１１…一端部、１２…他端部、２０…保持部、２１…保持面、３０…くぼみ部、４０，５０…押圧部分、４１，５１…基端、４２，５２…先端、４３，５３…押圧面、４４，５４…凸部、Ａ…中央線、Ｂ…輪郭線、ｃ，ｄ…幅寸法、Ｐ…使用者
【図１】
0003112519.tif 000003
【図２】
0003112519.tif 000004
【図３】
0003112519.tif 000005
【図４】
0003112519.tif 000006
【図５】
0003112519.tif 000007
【図６】
0003112519.tif 000008